(57)【要約】【課題】容器内側の下部に歯磨剤の残量が発生することを防止できるように容器本体の構造が改善されたポンプ型歯磨剤容器を提供することを目的とする。【解決手段】本発明は、歯磨剤を充填する充填空間が内部に設けられた容器本体；前記容器本体内に設けられて歯磨剤を前記容器本体の外部に吐出するポンピング手段；及び前記容器本体の上部に位置して前記ポンピング手段と連通し、歯磨剤の吐出のための吐出口を備えたノズル；を含み、前記容器本体は側面と底面との間の角部に丸み部が設けられ、内部の底面には凸設部が設けられていることを特徴とするポンプ型歯磨剤容器を提供する。【選択図】図２
2016055925.tif 000002
【特許請求の範囲】
【請求項１】
歯磨剤を充填する充填空間が内部に設けられた容器本体；
前記容器本体内に設けられて歯磨剤を前記容器本体の外部に吐出するポンピング手段；及び
前記容器本体の上部に位置して前記ポンピング手段と連通し、歯磨剤の吐出のための吐出口を備えたノズル；を含み、
前記容器本体は、側面と底面との間の角部に丸み部が設けられ、内部の底面には凸設部が設けられていることを特徴とするポンプ型歯磨剤容器。
【請求項２】
前記ポンピング手段が、前記容器本体の上端から内部に延設されたシリンダー、及び前記シリンダー内に挿入されて前記ノズルと連動するピストンユニットを含むことを特徴とする請求項１に記載のポンプ型歯磨剤容器。
【請求項３】
前記ポンピング手段が、前記シリンダーと連通して下方に延びたディープチューブを備え、
前記ディープチューブの下端が、前記容器本体の前記凸設部の外郭に配置されていることを特徴とする請求項２に記載のポンプ型歯磨剤容器。
【請求項４】
前記凸設部は、断面形状が半円形であることを特徴とする請求項３に記載のポンプ型歯磨剤容器。
【発明の詳細な説明】
【技術分野】
【０００１】
本発明は、ポンプ型歯磨剤容器に関し、より詳しくは、容器内に充填された歯磨剤をポンピングしてノズルを通して吐出する構造を有するポンプ型歯磨剤容器に関する。
【背景技術】
【０００２】
一般に、ペースト状の歯磨剤は、チューブ型の軟質容器に入れられて商品化されるが、このようなチューブ型歯磨剤容器は、歯磨剤の高い粘度のため、場合によっては強い力で容器を押して歯磨剤を絞り出さなければならず、残量を絞り切ることが容易ではないという問題がある。
【０００３】
ペースト状歯磨剤の粘度特性に多くの影響を及ぼす湿潤剤及び保湿剤としては、通常ソルビトール（ｓｏｒｂｉｔｏｌ）が使用される。ソルビトールは約７０％の水溶液状態のものが使用されるが、水分の蒸発とともに固体になり易い性質がある。特に、歯磨剤には研磨剤として固形分が含まれるため、空気との接触時に固形化され易い。このような問題に鑑みて、最近はシャンプーやボディソープなどに広く用いられているポンプ型容器を歯磨剤に適用し、消費者の便宜を図ろうと試みられている。
【０００４】
しかし、従来のポンプ型容器は、充填された歯磨剤の殆どを使用して底面に少量のみが残った場合、それを吐出し難くて残量が発生するという短所がある。すなわち、通常歯磨剤は流動性が低いため、ディープチューブの端部に歯磨剤が集まるように調整し難く、使い切れずに捨てられることがよく発生する。これは粘度８０００ｃｐｓ以上の通常の歯磨剤でよく発生することが知られている。
【０００５】
ポンプ式容器で発生する残量問題を解決するための技術は、例えば、韓国実用新案登録第２０−０３８８１５５号に開示されている。上記先行技術では、ディープチューブの下端部に十字型吸込部材が連結されたことを特徴とするポンプ式化粧品容器の残量防止用ディープチューブ構造を開示している。当該ディープチューブ構造によれば、容器下部に挿入されたパッキングに形成された十字型の安着溝に内容物が集まり、ポンピング作動時に内容物が安着溝に設けられた吸込部材に吸い込まれてノズルを通って外部に吐出される。
【０００６】
しかし、当該ディープチューブ構造は構成が複雑であるため、部品数が増えて生産コストが嵩張るだけでなく、安着溝と吸込部材との間の隙間に残留する内容物は吸入及び吐出が容易ではないという問題があるため、代案が求められている。
【先行技術文献】
【特許文献】
【０００７】
【特許文献１】韓国実用新案登録第２０−０３８８１５５号公報
【発明の概要】
【発明が解決しようとする課題】
【０００８】
本発明は、上記問題点に鑑みてなされたものであり、容器内側の下部に歯磨剤の残量が発生することを防止できるように容器本体の構造が改善されたポンプ型歯磨剤容器を提供することを目的とする。
【課題を解決するための手段】
【０００９】
上記の課題を達成するため、本発明によるポンプ型歯磨剤容器は、歯磨剤を充填する充填空間が内部に設けられた容器本体；当該容器本体内に設けられて歯磨剤を当該容器本体の外部に吐出するポンピング手段；及び当該容器本体の上部に位置して当該ポンピング手段と連通し、歯磨剤の吐出のための吐出口を備えたノズル；を含み、当該容器本体は側面と底面との間の角部に丸み部が設けられ、内部の底面には凸設部が設けられていることを特徴とする。
【００１０】
当該ポンピング手段は、当該容器本体の上端から内部に延設されたシリンダー、及び当該シリンダー内に挿入されて当該ノズルと連動するピストンユニットを含むことが望ましい。
【００１１】
当該ポンピング手段は、当該シリンダーと連通して下方に延びたディープチューブを備え、当該ディープチューブの下端は当該容器本体の当該凸設部の外郭に配置されることが望ましい。
【００１２】
当該凸設部は、断面形状が半円形であることが望ましい。
【発明の効果】
【００１３】
本発明によれば、容器本体の側面と底面との間に歯磨剤の残量を集めて容易に外部にポンピングすることで、歯磨剤を最後まで使い切ることができる。
【００１４】
また、本発明によれば、別途の部品を付け加えることなく、歯磨剤の残量発生を防止できる経済的なポンプ型歯磨剤容器を提供することができる。
【００１５】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図面の簡単な説明】
【００１６】
【図１】本発明の望ましい実施例によるポンプ型歯磨剤容器の要部構成を示した側面図である。
【図２】図１の部分断面図である。
【図３】比較例によるポンプ型歯磨剤容器を示した部分断面図である。
【発明を実施するための形態】
【００１７】
以下、添付された図面を参照して本発明の望ましい実施例を詳しく説明する。これに先立ち、本明細書及び特許請求の範囲に使われた用語や単語は、通常的な意味や辞書的な意味に限定して解釈されてはならず、発明者は自ら発明を最善の方法で説明するために用語の概念を適切に定義できるという原則に則して、本発明の技術的な思想に応ずる意味及び概念で解釈されなければならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解しなければならない。
【００１８】
図１は本発明の望ましい実施例によるポンプ型歯磨剤容器の要部構成を示した側面図であり、図２は図１の部分断面図である。
【００１９】
図１及び図２を参照すれば、本発明の望ましい実施例によるポンプ型歯磨剤容器は、角部に丸みがつけられた丸み部（ｒｏｕｎｄ ｐｏｒｔｉｏｎ）１４が設けられ、底面に凸設部１５が設けられた容器本体１０、容器本体１０内に設けられたポンピング手段１３、及びポンピング手段１３と連通するようにキャップ１１の上部に組み合わせられたノズル１２を含む。
【００２０】
容器本体１０は、歯磨剤を充填する充填空間が内部に設けられ、地面に垂直に立てられるように高さ方向の一端部、すなわち地面と接する底面の一部または全体がほぼ扁平な構造を有する。また、容器本体１０は垂直に立てられた状態で容易に転倒しないように、重心を考慮して上狭下広の形状で、合成樹脂材から構成される。
【００２１】
容器本体１０の側面と底面との間の角部には、歯磨剤が容器本体１０内部の隅に残留することを防止する丸み部１４が設けられる。ここで、丸み部１４の曲率は、歯磨剤の粘度などを考慮して多様に変更することができる。
【００２２】
角部に丸み部１４を設けることによる残量防止効果は、例えば、次のようなテストを通じて確認することができる。すなわち、容器容量が２８０ｇと同じであり、下部の角部に丸みがつけられた形状の容器と、図３に示されたように角張った形状の容器に対して残量を比較評価した。歯磨剤１としては粘度８０００ｃｐｓのペースト状歯磨剤をそれぞれの容器に充填して使用した。評価の結果、角部に丸みがつけられた形状の容器が４．１９ｇほど発生した残量が少ないことが確認できる。
【００２３】
【表１】
2016055925.tif 000003
【００２４】
残量防止効果を一層高めるための手段として、容器本体１０は、内部の底面の中心部分が上方に隆起した凸設部１５を備える。上述したように、容器本体１０において地面に接する底面はほぼ扁平な構造を有するため、凸設部１５は断面形状が半円形であることが望ましい。このような構成によれば、歯磨剤１が中心部分に残留できず、外郭部分に集まるという著しい効果が得られる。ここで、歯磨剤１は所定の流動性を有するため、底面に残っている歯磨剤１の残量は凸設部１５によって外郭に流動して集まるようになる。
【００２５】
ポンピング手段１３は、容器本体１０に設けられて歯磨剤を容器本体１０の外部に吐出する。図示していないが、ポンピング手段１３は容器本体１０の上端から内部に延設されたシリンダー、及び当該シリンダー内に摺動自在に挿入されたピストンユニットを含む。ポンピング手段１３を成すシリンダー及びピストンユニットとしては、通常のシャンプー容器などに用いられる部材が採用できるため、詳細な説明は省略する。
【００２６】
ポンピング手段１３の下部にはディープチューブ１３ａが連結され、容器本体１０の下部まで延長される。このとき、ディープチューブ１３ａの下端部は容器本体１０の凸設部１５の外郭に配置される。
【００２７】
ノズル１２は、ポンピング手段１３のシリンダーと実質的に連設されて歯磨剤吐出部を提供し、それに連結された部分は容器本体１０の上部でキャップ１１を垂直に貫通して昇降自在に設けられ、ポンピング手段１３の駆動のための押しボタンの役割を兼ねる。ノズル１２は、垂直下方に作用する外力によって下降してから、バネによる所定の復元力によって元の位置に復帰するように構成される。ノズル１２が昇降するとき、それと連動するポンピング手段１３のピストンユニットが上記のシリンダー内で昇降して、ポンピングのための吸入力及び圧縮力を発生させる。
【００２８】
上記のような構成を有するポンプ型歯磨剤容器は、容器本体１０内に所定粘度のペースト状歯磨剤を充填して使用する。使用の際はノズル１２を下方に押せば、ポンピング手段１３のピストンがシリンダー内で下降し、歯磨剤がポンピングされる。このとき、歯磨剤はディープチューブ１３ａの下端部に吸い込まれ、ポンピング手段１３、ノズル１２を順に通過して外部に吐出される。
【００２９】
歯磨剤の殆どを使用して容器本体１０の下部に少量が残ったとき、容器本体１０の側面と底面との間の角部に形成された丸み部１４のため、歯磨剤は内部の隅に残留できず、中心方向に流動するようになる。さらに、内部の底面に残っていた歯磨剤は、凸設部１５のため、中心部分に残留できずに外郭部分に集まるようになる。一方、ポンピング手段１３に連結されたディープチューブ１３ａはその下端部が歯磨剤が集まる部分に配置されるため、残留する歯磨剤を容易に吸い込んで外部に吐出することができる。
【００３０】
以上のように、本発明を限定された実施例と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【符号の説明】
【００３１】
１０  容器本体
１１  キャップ
１２  ノズル
１３  ポンピング手段
１３ａ  ディープチューブ
１４  丸み部
１５  凸設部
【図１】
2016055925.tif 000004
【図２】
2016055925.tif 000005
【図３】
2016055925.tif 000006